(57)【要約】【課題】処理装置の設定を容易に行うことができ、設定を行うための手間も時間もかからず、設定ミスが発生することを最小限にすることができるようにする。【解決手段】ネットワークに接続する処理装置の設定方法であって、ネットワークに接続された第１処理装置の記憶部に設定値を格納し、前記第１処理装置は制御部を操作して前記設定値を選択し、選択した前記設定値を送信し、ネットワークに接続された第２処理装置は前記設定値を受信し、前記第２処理装置は制御部を操作して受信した前記設定値を記憶部に格納する。【選択図】          図１
2004280212.tif 000002
【特許請求の範囲】
【請求項１】
（ａ）ネットワークに接続する処理装置の設定方法であって、
（ｂ）ネットワークに接続された第１処理装置の記憶部に設定値を格納し、
（ｃ）前記第１処理装置は制御部を操作して前記設定値を選択し、
（ｄ）選択した前記設定値を送信し、
（ｅ）ネットワークに接続された第２処理装置は前記設定値を受信し、
（ｆ）前記第２処理装置は制御部を操作して受信した前記設定値を記憶部に格納することを特徴とする処理装置の設定方法。
【請求項２】
（ａ）第１処理装置の第１設定値を格納する第１記憶部と、
（ｂ）前記第１処理装置を制御する第１制御部と、
（ｃ）該第１制御部を操作し、前記第１設定値を選択する選択部と、
（ｄ）前記第１制御部によって制御され、前記第１設定値を送信する第１通信部と、
（ｅ）第２処理装置を制御する第２制御部と、
（ｆ）該第２制御部によって制御され、前記第１設定値を受信する第２通信部と、
（ｇ）受信した前記第１設定値を格納する第２記憶部とを有し、
（ｈ）前記第２処理装置は、前記第２記憶部に格納された第１設定値を参照して動作を行うことを特徴とするネットワーク処理システム。
【請求項３】
（ａ）ネットワークに接続する処理装置であって、
（ｂ）ネットワークに接続した他の処理装置が送信した該他の処理装置の動作に使用される設定値を受信する通信部と、
（ｃ）受信した前記設定値を格納する記憶部とを有し、
（ｄ）該記憶部に格納された前記設定値を参照して動作を行うことを特徴とするネットワークに接続する処理装置。
【請求項４】
前記ネットワークに接続されると、前記設定値を自動的に受信して記憶部に格納する請求項３に記載のネットワークに接続する処理装置。
【請求項５】
前記記憶部は揮発性記憶領域を備え、電源投入時に前記設定値を受信し、前記揮発性記憶領域に格納する請求項３に記載のネットワークに接続する処理装置。
【請求項６】
前記他の処理装置は、前記設定値を設定された送信時間間隔で送信する請求項３に記載のネットワークに接続する処理装置。
【発明の詳細な説明】
【０００１】
【発明の属する技術分野】
本発明は、ネットワークに接続する処理装置、処理装置の設定方法及びネットワーク処理システムに関するものである。
【０００２】
【従来の技術】
従来、複数の処理装置をネットワークに接続して処理を行わせる場合、前記複数の処理装置のそれぞれに対して処理条件等の設定を行うことができるようになっている。
【０００３】
例えば、前記処理装置がプリンタであって、ネットワークに接続されたパーソナルコンピュータ等の上位装置から送信された印刷ジョブに従って印刷媒体としての用紙に印刷するようになっている場合、前記プリンタを使用するユーザは、それぞれのプリンタの操作パネルを操作したり、上位装置にインストールされたソフトウェアとしてのユーティリティを利用して、印刷に使用されるフォント、用紙サイズ等の印刷条件の設定をそれぞれのプリンタに対して行うようになっている（例えば、特許文献１参照。）。
【０００４】
これにより、オペレータは自分が選択したプリンタの印刷条件を印刷ジョブに適したものに設定することができ、適切な印刷結果を得ることができる。
【０００５】
【特許文献１】
特開平１１−２２７９６７号公報
【０００６】
【発明が解決しようとする課題】
しかしながら、前記従来の処理装置においては、ユーザがそれぞれの処理装置の操作パネルを操作したり、上位装置にインストールされたユーティリティを利用したりして、それぞれの処理装置に対して設定を行う必要がある。そのため、複数の処理装置に対して同じ設定を行う場合でも、それぞれの処理装置に対して設定を行わねばならず、手間と時間がかかってしまう。また、処理装置の台数が多い場合には、設定を行うための作業量が増えるので、設定ミスが発生し易くなり、すべての処理装置に対して正確に設定を行うことが困難になる。
【０００７】
本発明は、前記従来の処理装置の問題点を解決して、処理装置の設定を容易に行うことができ、設定を行うための手間も時間もかからず、設定ミスが発生することを最小限にすることができるネットワークに接続する処理装置、処理装置の設定方法及びネットワーク処理システムを提供することを目的とする。
【０００８】
【課題を解決するための手段】
そのために、本発明の処理装置の設定方法においては、ネットワークに接続する処理装置の設定方法であって、ネットワークに接続された第１処理装置の記憶部に設定値を格納し、前記第１処理装置は制御部を操作して前記設定値を選択し、選択した前記設定値を送信し、ネットワークに接続された第２処理装置は前記設定値を受信し、前記第２処理装置は制御部を操作して受信した前記設定値を記憶部に格納する。
【０００９】
【発明の実施の形態】
以下、本発明の実施の形態について図面を参照しながら詳細に説明する。
【００１０】
図１は本発明の第１の実施の形態におけるネットワーク処理システムの構成を示す図、図２は本発明の第１の実施の形態におけるコピー元のプリンタの構成を示すブロック図、図３は本発明の第１の実施の形態におけるコピー先のプリンタの構成を示すブロック図、図４は本発明の第１の実施の形態におけるＭＩＢ情報の例を示す図である。
【００１１】
図１において、１０はネットワーク処理システムであり、設定情報のコピー元の処理装置としての第１プリンタ１１、設定情報のコピー先の処理装置としての第２プリンタ２１、及び、前記第１プリンタ１１及び第２プリンタ２１が接続されるネットワーク６１を有する。
【００１２】
ここで、前記ネットワーク処理システム１０における処理装置は、ネットワーク６１に接続されて所定の処理を行う装置であれば、いかなる装置であってもよいが、例えば、プリンタ、コピー機、ファクシミリ装置等の画像形成装置であることが望ましい。
【００１３】
なお、本実施の形態においては、前記処理装置がプリンタである場合について説明する。また、前記第１プリンタ１１及び第２プリンタ２１は、モノクロ画像を形成するものであっても、カラー画像を形成するものであってもよい。さらに、前記第１プリンタ１１及び第２プリンタ２１の画像形成方式も、電子写真方式に限らず、いかなるものであってもよく、例えば、インクジェット方式であってもよいし、ワイヤドット方式であってもよいし、インクリボン方式であってもよいし、熱転写方式であってもよい。なお、前記ネットワーク６１に接続されるプリンタの数は、三台以上であってもよく、いくつであってもよいが、本実施の形態においては、前記第１プリンタ１１及び第２プリンタ２１がすべてのプリンタを代表するものとして説明する。さらに、前記第１プリンタ１１及び第２プリンタ２１は、ＣＰＵ、ＭＰＵ等の演算手段、半導体メモリ等の記憶手段、表示手段、入力手段、通信インターフェイス等を備える。
【００１４】
また、前記ネットワーク６１は、有線又は無線のデータ通信網であり、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネットであるが、いかなる種類のネットワークであってもよい。さらに、前記ネットワーク６１には、図示されない上位装置が接続されている。該上位装置は、ＣＰＵ、ＭＰＵ等の演算手段、磁気ディスク、半導体メモリ等の記憶手段、ＣＲＴ、液晶ディスプレイ等の表示手段、キーボード等の入力手段、通信インターフェイス等を備えるコンピュータであり、例えば、パーソナルコンピュータ、サーバ、ワークステーション等であるが、いかなる装置であってもよい。そして、前記第１プリンタ１１及び第２プリンタ２１は、前記上位装置からネットワーク６１を介して送信された印刷ジョブに従って、印刷媒体としての用紙に印刷するようになっている。
【００１５】
本実施の形態においては、前記第１プリンタ１１に対して行われた設定の内容である設定情報をＳＮＭＰ（Ｓｉｍｐｌｅ  Ｎｅｔｗｏｒｋ  Ｍａｎａｇｅｍｅｎｔ  Ｐｒｏｔｏｃｏｌ）  を使用し、ネットワーク６１を介して、前記第２プリンタ２１に送信してコピーする場合について説明する。なお、ＳＮＭＰ以外のプロトコルを使用することも可能である。
【００１６】
ここで、設定内容のコピー元である第１プリンタ１１は、図２に示されるように、選択部としての操作部１２、第１制御部としての制御部１３、第１記憶部としてのＭＩＢ（Ｍａｎａｇｅｍｅｎｔ  Ｉｎｆｏｒｍａｔｉｏｎ  Ｂａｓｅ）格納部１４、第１通信部としてのコピー用設定情報送信部１５、及び、ネットワーク送受信部１６を有する。そして、前記操作部１２は、第１プリンタ１１の表示手段及び入力手段として機能し、ＣＲＴ、液晶ディスプレイ、ＬＥＤ（Ｌｉｇｈｔ  Ｅｍｉｔｔｉｎｇ  Ｄｉｏｄｅ）ディスプレイ、ＬＥＤランプ等の表示装置、コピー開始ボタン等の押しボタン、ダイヤル、スイッチ等を備える入力装置、スピーカ等の音声出力装置等を有する。
【００１７】
なお、前記表示装置は、入力装置としても機能するタッチパネルであってもよい。そして、前記操作部１２は、マンマシンインターフェイスとして機能し、コピー元としての第１プリンタ１１を使用するユーザが設定値としての設定情報を入力して、第１プリンタ１１に対する設定を行ったり、前記設定情報をコピー先としての第２プリンタ２１に送信するための操作を行うようになっている。
【００１８】
また、前記制御部１３は、前記操作部１２から入力された設定情報を受信すると該設定情報をＭＩＢ格納部１４に格納する。さらに、前記制御部１３は、前記操作部１２から前記設定情報をコピー先である第２プリンタ２１に送信するための要求を受信すると、該要求を解析する。そして、コピー用設定情報送信部１５に、前記設定情報をコピーするために必要な情報としてのＭＩＢ情報を集めて第２プリンタ２１に送信するように要求する。
【００１９】
そして、前記ＭＩＢ格納部１４は、不揮発性の記憶領域内に存在し、例えば、図４に示されるように、前記設定情報を含むＳＮＭＰで使用される管理情報リストとしてのＭＩＢ情報を格納する。ここで、ユーザが設定情報を第２プリンタ２１に送信するためにコピーすることを選択することができる第１設定値としての設定情報は、用紙の両面に印刷する両面印刷の設定、用紙サイズ又は用紙サイズに対応する給紙カセットの指定、印刷用のフォントの指定、ネットワークカードの設定等を含むものである。なお、前記ＭＩＢ格納部１４には、ＸＭＬ（ｅＸｔｅｎｓｉｂｌｅ  Ｍａｒｋｕｐ  Ｌａｎｇｕａｇｅ）形式等の形式の設定情報を格納することもできる。
【００２０】
また、前記コピー用設定情報送信部１５は、前記制御部１３からの要求を受信すると、前記ＭＩＢ格納部１４に格納されている設定情報を取得する。そして、該設定情報を、ＳＮＭＰを使用し、ネットワーク送受信部１６からネットワーク６１を介して、第２プリンタ２１に送信するようになっている。
【００２１】
ここで、設定内容のコピー先である第２プリンタ２１は、図３に示されるように、第２制御部及び第２通信部としてのコピー用設定情報設定部２２、第２記憶部としてのＭＩＢ格納部２３、及び、ネットワーク送受信部２４を有する。そして、前記ＭＩＢ格納部２３は、第１プリンタ１１のＭＩＢ格納部１４と同様に、不揮発性の記憶領域内に存在し、例えば、図４に示されるように、前記設定情報を含むＳＮＭＰで使用される管理情報リストとしてのＭＩＢ情報を格納する。
【００２２】
また、前記コピー用設定情報設定部２２は、ネットワーク送受信部２４がネットワーク６１を介して第１プリンタ１１から受信した設定情報を解析し、ＭＩＢ格納部２３に既に格納されている設定情報の対応箇所を書き替えるようになっている。これにより、前記第１プリンタ１１の設定情報が第２プリンタ２１にコピーされる。
【００２３】
次に、前記構成のネットワーク処理システム１０の動作について説明する。
【００２４】
図５は本発明の第１の実施の形態におけるネットワーク処理システムの動作を示す第１のフローチャート、図６は本発明の第１の実施の形態におけるネットワーク処理システムの動作を示す第２のフローチャートである。
【００２５】
まず、設定情報のコピー元のプリンタとしての第１プリンタ１１における動作について説明する。この場合、ユーザは、第１プリンタ１１の操作部１２を操作して、設定情報のコピー先のプリンタとしての第２プリンタ２１、及び、第１設定値としてコピーする設定情報の項目を選択する。そして、ユーザは、前記操作部１２のコピー開始ボタンを押下する。続いて、制御部１３は、前記操作部１２からコピー開始ボタンが押下されたことを受信すると、コピー先として選択された第２プリンタ２１及び設定情報の項目をコピー用設定情報送信部１５に転送し、前記設定情報の項目をコピーするために必要な情報を集めて第２プリンタ２１に送信するように要求する。
【００２６】
続いて、前記コピー用設定情報送信部１５は、制御部１３からの要求を受信するとＭＩＢ格納部１４から、前記設定情報の項目をコピーするために必要な情報としてのＭＩＢ情報を取得する。そして、前記コピー用設定情報送信部１５は、前記ＭＩＢ格納部１４から取得したＭＩＢ情報を、ＳＮＭＰを使用し、ネットワーク６１を介して、コピー先として選択された第２プリンタ２１に送信する。なお、コピー先の第２プリンタ２１は、複数台が同時に選択されてもよい。
【００２７】
次に、第１のフローチャートについて説明する。
ステップＳ１  表示、入力装置を含む操作部１２でコピーする設定情報の項目とコピー先を選択する。
ステップＳ２  操作部１２でコピー開始ボタンを押下する。
ステップＳ３  ＭＩＢ格納部１４からコピーするＭＩＢ情報を取得する。
ステップＳ４  コピー先（他プリンタ）に送信する。
【００２８】
次に、設定情報のコピー先のプリンタとしての第２プリンタ２１における動作について説明する。この場合、第２プリンタ２１のコピー用設定情報設定部２２は、ネットワーク６１を介して第１プリンタ１１からＭＩＢ情報を受信すると、該ＭＩＢ情報を解析し、コピーする設定情報の項目を取り出す。続いて、前記コピー用設定情報設定部２２は、対応するＭＩＢ情報が第２プリンタ２１に存在するか否かを判断する。そして、存在しない場合には、処理を終了する。
【００２９】
また、ＭＩＢ情報が第２プリンタ２１に存在する場合、前記コピー用設定情報設定部２２は、ＭＩＢ格納部２３に既に格納されているＭＩＢ情報を書き替える。そして、書き替えが終了すると第１プリンタ１１の設定情報の第２プリンタ２１へのコピーが完了する。
【００３０】
次に、第２のフローチャートについて説明する。
ステップＳ１１  ＭＩＢ情報の解析を行う。
ステップＳ１２  対応するＭＩＢ情報が存在するか否かを判断し、ＭＩＢ情報が存在する場合はステップＳ１３に進み、ＭＩＢ情報が存在しない場合は処理を終了する。
ステップＳ１３  ＭＩＢ情報の書き替えを行う。
【００３１】
このように、本実施の形態においては、ユーザが第１プリンタ１１の操作部１２を操作して、設定情報のコピー先である第２プリンタ２１、及び、コピーする設定情報の項目を選択することによって、前記第１プリンタ１１の設定情報の項目を第２プリンタ２１にコピーすることができる。そのため、第２プリンタ２１の設定を容易に行うことができ、設定を行うための手間も時間もかからず、設定ミスが発生することを防止することができる。
【００３２】
なお、本実施の形態においては、ユーザがコピー元のプリンタとしての第１プリンタ１１の操作部１２を操作して、設定情報のコピー先のプリンタ及びコピーする設定情報の項目を選択する場合の動作について説明したが、前記ユーザは、ネットワーク６１に接続された図示されない上位装置を操作して、設定情報のコピー先のプリンタ及びコピーする設定情報の項目を選択することもできる。
【００３３】
また、本実施の形態においては、コピー元のプリンタとコピー先のプリンタとが一対一の関係である場合について説明したが、コピー元のプリンタに対して、コピー先のプリンタが複数であってもよい。この場合、コピー元のプリンタにおいて自動的に複数のコピー先のプリンタを選択して、設定情報を前記複数のコピー先のプリンタにコピーすることができる。そのため、人為的な設定ミスの発生する確率を軽減することができる。また、コピー先のプリンタの台数が増加しても、ユーザが行う操作、すなわち、オペレーションの量が大幅に増えることはない。そのため、複数のコピー先のプリンタにコピー元のプリンタの設定情報を容易にコピーすることができ、人為的な設定ミスを防ぐことができる。
【００３４】
さらに、本実施の形態においては、設定情報がコピー元のプリンタの内部に格納され、コピーする機能もプリンタに組み込まれているので、設定情報をネットワーク上の上位装置に記憶して複数のプリンタに設定する場合のように上位装置のセットアップ等の準備をする必要がない。そのため、ユーザは容易に設定情報をコピーすることができる。
【００３５】
次に、本発明の第２の実施の形態について説明する。なお、前記第１の実施の形態と同じ構成を有するもの及び同じ動作については、その説明を省略する。
【００３６】
図７は本発明の第２の実施の形態におけるコピー先のプリンタの構成を示すブロック図、図８は本発明の第２の実施の形態におけるコピー元のプリンタの構成を示すブロック図である。
【００３７】
本実施の形態においては、コピー先としての第２プリンタ２１にＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）等のネットワーク接続に必要な情報を設定して、前記第２プリンタ２１をネットワーク６１に接続すると、前記第２プリンタ２１は、自動的にネットワーク６１上の第１プリンタ１１を探し、該第１プリンタ１１の設定情報をコピーするようになっている。すなわち、コピー先のプリンタとしての第２プリンタ２１からコピー元のプリンタとしての第１プリンタ１１に要求を出して設定情報をコピーする。
【００３８】
本実施の形態においては、前記第１プリンタ１１に対して行われた設定の内容をＳＮＭＰを使用し、ネットワーク６１を介して、前記第２プリンタ２１に送信してコピーする場合について説明する。なお、ＳＮＭＰ以外のプロトコルを使用することも可能である。
【００３９】
ここで、第２プリンタ２１は、図７に示されるように、操作部２５、制御部２６、ＭＩＢ格納部２３、コピー用設定情報送受信部２７、及び、ネットワーク送受信部２４を有する。また、第１プリンタ１１は、図８に示されるように、コピー用設定情報設定部１７を有する。
【００４０】
次に、本実施の形態におけるネットワーク処理システム１０の動作について説明する。
【００４１】
図９は本発明の第２の実施の形態におけるネットワーク処理システムの動作を示すフローチャートである。
【００４２】
まず、ユーザは、コピー先のプリンタである第２プリンタ２１の操作部２５を操作して、ネットワーク６１に接続するための設定を行った後、前記第２プリンタ２１をネットワーク６１に接続する。続いて、制御部２６は、前記ネットワーク６１に接続されている設定情報のコピー元のプリンタとしての第１プリンタ１１を探索する。そして、前記制御部２６は第１プリンタ１１が見つかったか否かを判断する。ここで、第１プリンタ１１が見つからなかった場合には、前記制御部２６は見つからない旨の表示を前記操作部２５の表示装置に表示させて処理を終了する。
【００４３】
また、第１プリンタ１１が見つかった場合、前記制御部２６はコピーすべき設定情報の項目を前記第１プリンタ１１からコピーするようにコピー用設定情報送受信部２７に要求する。続いて、該コピー用設定情報送受信部２７は、前記コピーすべき設定情報の項目をＭＩＢ格納部２３に格納されている情報と照らし合わせ、前記第１プリンタ１１からコピーすべき設定情報、すなわち、ＳＮＭＰリクエストを作成する。続いて、コピー用設定情報送受信部２７は、前記ＳＮＭＰリクエストをネットワーク送受信部２４を経由して第１プリンタ１１に送信する、すなわち、コピー元としての第１のプリンタ１１に設定情報のコピーをリクエストする。
【００４４】
続いて、コピー用設定情報送受信部２７は、コピー元としての第１プリンタ１１からＳＮＭＰリクエストに対する応答があるか否かを判断する。そして、応答がない場合、前記コピー用設定情報送受信部２７はコピーに失敗した旨の表示を前記操作部２５の表示装置に表示させて処理を終了する。また、応答がある場合、前記コピー用設定情報送受信部２７は第１プリンタ１１からの応答の内容が良好、すなわち、ＯＫであるか否かを判断する。そして、前記第１プリンタ１１からの応答にコピーすべき設定情報の項目がすべて含まれている場合には、前記コピー用設定情報送受信部２７はＯＫと判断する。また、前記第１プリンタ１１からの応答にコピーすべき設定情報の項目がすべて含まれていない場合、前記コピー用設定情報送受信部２７は、前記応答の内容が良好でない、すなわち、ＮＧと判断しコピーに失敗した旨の表示を前記操作部２５の表示装置に表示させて処理を終了する。
【００４５】
なお、前記応答の内容がＯＫである場合、前記コピー用設定情報送受信部２７は、前記応答を解析し、コピーする設定情報の項目を取り出す。続いて、前記コピー用設定情報送受信部２７は、ＭＩＢ格納部２３に既に格納されているＭＩＢ情報を書き替える。そして、書き替えが終了すると第１プリンタ１１の設定情報の第２プリンタ２１へのコピーが完了する。
【００４６】
次に、フローチャートについて説明する。
ステップＳ２１  コピー元のプリンタが見つかったか否かを判断し、見つかった場合はステップＳ２２に進み、見つかっていない場合は、処理を終了する。
ステップＳ２２  コピー元に設定情報のコピーをリクエストする。
ステップＳ２３  コピー元から応答があるか否かを判断し、応答がある場合はステップＳ２４に進み、コピー元から応答がない場合は処理を終了する。
ステップＳ２４  応答の内容がＯＫであるか否かを判断し、ＯＫの場合はステップＳ２５に進み、ＮＧの場合は処理を終了する。
ステップＳ２５  ＭＩＢ情報の書き替えを行う。
【００４７】
このように、本実施の形態においては、第２プリンタ２１をネットワーク６１に接続すると、第１プリンタ１１の設定情報が自動的に第２プリンタ２１にコピーされる。そのため、ユーザはコピー元としての第１プリンタ１１の操作を行う必要がない。なお、本実施の形態においては、コピー先のプリンタ一台に対してコピー元のプリンタが一台である、一対一の場合のみ設定情報をコピーすることができる。
【００４８】
次に、本発明の第３の実施の形態について説明する。なお、前記第１及び第２の実施の形態と同じ構成を有するもの及び同じ動作については、その説明を省略する。
【００４９】
図１０は本発明の第３の実施の形態におけるネットワーク処理システムの構成を示すブロック図、図１１は本発明の第３の実施の形態におけるコピー先のプリンタの構成を示すブロック図である。
【００５０】
本実施の形態においては、ネットワーク接続に必要な情報が設定されているコピー先のプリンタとしての第２プリンタ３１を、図１０に示されるように、ネットワーク６１に接続して電源をオンにすると、前記第２プリンタ３１は、自動的にネットワーク６１上の第１プリンタ１１を探し、該第１プリンタ１１の設定情報をコピーするようになっている。すなわち、第２プリンタ３１からコピー元のプリンタとしての第１プリンタ１１に要求を出して設定情報をコピーする。本実施の形態においては、前記第１プリンタ１１に対して行われた設定の内容をＳＮＭＰを使用し、ネットワーク６１を介して、前記第２プリンタ３１に送信してコピーする場合について説明する。なお、ＳＮＭＰ以外のプロトコルを使用することも可能である。
【００５１】
ここで、第２プリンタ３１は、図１１に示されるように、設定情報送受信部３２、ネットワーク送受信部２４、不揮発性の記憶領域内に存在し、ネットワーク接続に必要な情報としてのネットワーク設定情報が格納されているネットワーク設定情報格納部３３、及び、揮発性記憶手段から成るＲＡＭ３４を有する。
【００５２】
次に、本実施の形態におけるネットワーク処理システム１０の動作について説明する。
【００５３】
図１２は本発明の第３の実施の形態におけるネットワーク処理システムの動作を示すフローチャートである。
【００５４】
まず、第２プリンタ３１の電源をオンにすると、ネットワーク設定情報格納部３３に格納されたネットワーク設定情報に従って、ネットワーク６１に接続するためのネットワーク情報の設定が行われ、前記第２プリンタ３１がネットワーク６１に接続される。続いて、前記第２プリンタ３１は、前記ネットワーク６１に接続されている設定情報のコピー元のプリンタとしての第１プリンタ１１を探索し、第１プリンタ１１が見つかったか否かを判断する。ここで、第１プリンタ１１が見つからなかった場合には、前記第２プリンタ３１は、所定回数だけ探索を繰り返して行う。そして、所定回数探索を繰り返しても第１プリンタ１１が見つからなかった場合には、起動に失敗した旨の表示を図示されない操作部の表示装置に表示させて処理を終了する。
【００５５】
また、第１プリンタ１１が見つかった場合、設定情報送受信部３２は、ＳＮＭＰリクエストをネットワーク送受信部２４を経由して第１プリンタ１１に送信する、すなわち、コピー元に設定情報のコピーをリクエストする。この場合、要求する設定情報は、ネットワーク設定情報以外の設定情報である。
【００５６】
続いて、設定情報送受信部３２は、コピー元としての第１プリンタ１１からＳＮＭＰリクエストに対する応答があるか否かを判断する。そして、応答がない場合、設定情報送受信部３２は、所定回数だけＳＮＭＰリクエストを繰り返して送信する。そして、所定回数ＳＮＭＰリクエストを繰り返して送信しても応答がない場合には、前記設定情報送受信部３２はコピーに失敗した旨の表示を図示されない操作部の表示装置に表示させて処理を終了する。
【００５７】
また、応答がある場合、前記設定情報送受信部３２は、前記応答を解析し、ＲＡＭ３４上に設定情報からＭＩＢ情報を生成して、第２プリンタ３１におけるネットワーク設定以外の設定情報の項目に関する設定を行う。これにより、第１プリンタ１１の設定情報の第２プリンタ３１へのコピーが完了する。
【００５８】
次に、フローチャートについて説明する。
ステップＳ３１  ネットワーク情報を設定する。
ステップＳ３２  コピー元のプリンタが見つかったか否かを判断し、プリンタが見つかった場合はステップＳ３３へ進み、プリンタが見つからない場合は処理を終了する。
ステップＳ３３  ＳＮＭＰリクエストを送信する。
ステップＳ３４  応答があるか否かを判断し、応答があった場合はステップＳ３５へ進み、応答がない場合は処理を終了する。
ステップＳ３５  プリンタの設定情報を設定する。
【００５９】
このように、本実施の形態においては、第２プリンタ３１は、ネットワーク設定情報以外の設定情報を保存するための領域として、揮発性記憶手段から成るＲＡＭ３４を使用する。そのため、第２プリンタ３１に必要な不揮発性の記憶領域を小さくすることができるため、前記第２プリンタ３１のコストを低くすることができる。
【００６０】
次に、本発明の第４の実施の形態について説明する。なお、前記第１〜第３の実施の形態と同じ構成を有するもの及び同じ動作については、その説明を省略する。
【００６１】
図１３は本発明の第４の実施の形態におけるネットワーク処理システムの構成を示すブロック図、図１４は本発明の第４の実施の形態におけるコピー元のプリンタの構成を示すブロック図である。
【００６２】
本実施の形態においては、図１３に示されるように、一台のコピー元としての第１プリンタ４１の設定情報をネットワーク６１に接続された複数のコピー先のプリンタとしての第２プリンタ２１に定期的にコピーするようになっている。ここでは、前記第１プリンタ１１に対して行われた設定の内容をＳＮＭＰを使用し、ネットワーク６１を介して、前記第２プリンタ２１に送信してコピーする場合について説明する。なお、ＳＮＭＰ以外のプロトコルを使用することも可能である。そして、コピー元としての第１プリンタ４１は、図１４に示されるように、設定情報送受信部４２、ネットワーク送受信部１６、タイマー４３、及び、ＭＩＢ格納部１４を有する。
【００６３】
次に、本実施の形態におけるネットワーク処理システム１０の動作について説明する。
【００６４】
図１５は本発明の第４の実施の形態におけるネットワーク処理システムの動作を示すフローチャートである。
【００６５】
まず、第１プリンタ４１の電源をオンにすると、設定情報送受信部４２はタイマー４３に設定送信時刻か否かを、所定の時間間隔で問い合わせる。なお、前記タイマー４３には、設定送信時間間隔があらかじめ設定されている。そして、設定送信時刻になると、設定情報送受信部４２はＭＩＢ情報格納部１４から、設定情報の項目をコピーするために必要な情報としてのＭＩＢ情報を取得する。そして、前記設定情報送受信部４２は、前記ＭＩＢ情報格納部１４から取得したＭＩＢ情報を、ＳＮＭＰを使用し、ネットワーク６１を介して、複数の第２プリンタ２１の中の一つに送信する。
【００６６】
続いて、前記設定情報送受信部４２は、すべての第２プリンタ２１にＭＩＢ情報を送信したか否か、すなわち、すべてのプリンタの設定情報は更新されたか否かを判断する。そして、更新されてない場合、前記設定情報送受信部４２は、前記ＭＩＢ情報を複数の第２プリンタ２１の中の他の一つに送信する。また、更新されている場合、前記設定情報送受信部４２は、次のタイミング、すなわち、設定送信時刻まで待機する。
【００６７】
次に、フローチャートについて説明する。
ステップＳ４１  設定送信時刻か否かを判断し、送信時刻である場合はステップＳ４２へ進み、送信時刻でない場合は、送信時刻になるまでこの動作を繰り返す。
ステップＳ４２  コピー先に送信する。
ステップＳ４３  すべてのプリンタの設定情報が更新されたか否かを判断し、更新されていなければステップＳ４１に戻り、更新されていれば処理を終了する。
【００６８】
このように、本実施の形態においては、第１プリンタ４１の設定情報が自動的に複数の第２プリンタ２１にコピーされる。そのため、ネットワーク６１に接続されたすべてのプリンタの設定情報の項目を同一に保つことができる。また、ユーザがプリンタの操作を行う必要がないので、プリンタの台数が増加しても、ユーザの作業量が増えず、人為的な設定ミスを最小限にすることができる。
【００６９】
なお、本発明は前記実施の形態に限定されるものではなく、本発明の趣旨に基づいて種々変形させることが可能であり、それらを本発明の範囲から排除するものではない。
【００７０】
【発明の効果】
以上詳細に説明したように、本発明によれば、処理装置の設定方法においては、ネットワークに接続する処理装置の設定方法であって、ネットワークに接続された第１処理装置の記憶部に設定値を格納し、前記第１処理装置は制御部を操作して前記設定値を選択し、選択した前記設定値を送信し、ネットワークに接続された第２処理装置は前記設定値を受信し、前記第２処理装置は制御部を操作して受信した前記設定値を記憶部に格納する。
【００７１】
この場合、処理装置の設定を容易に行うことができ、設定を行うために手間も時間もかからず、設定ミスが発生することを最小限にすることができる。
【図面の簡単な説明】
【図１】本発明の第１の実施の形態におけるネットワーク処理システムの構成を示す図である。
【図２】本発明の第１の実施の形態におけるコピー元のプリンタの構成を示すブロック図である。
【図３】本発明の第１の実施の形態におけるコピー先のプリンタの構成を示すブロック図である。
【図４】本発明の第１の実施の形態におけるＭＩＢ情報の例を示す図である。
【図５】本発明の第１の実施の形態におけるネットワーク処理システムの動作を示す第１のフローチャートである。
【図６】本発明の第１の実施の形態におけるネットワーク処理システムの動作を示す第２のフローチャートである。
【図７】本発明の第２の実施の形態におけるコピー先のプリンタの構成を示すブロック図である。
【図８】本発明の第２の実施の形態におけるコピー元のプリンタの構成を示すブロック図である。
【図９】本発明の第２の実施の形態におけるネットワーク処理システムの動作を示すフローチャートである。
【図１０】本発明の第３の実施の形態におけるネットワーク処理システムの構成を示すブロック図である。
【図１１】本発明の第３の実施の形態におけるコピー先のプリンタの構成を示すブロック図である。
【図１２】本発明の第３の実施の形態におけるネットワーク処理システムの動作を示すフローチャートである。
【図１３】本発明の第４の実施の形態におけるネットワーク処理システムの構成を示すブロック図である。
【図１４】本発明の第４の実施の形態におけるコピー元のプリンタの構成を示すブロック図である。
【図１５】本発明の第４の実施の形態におけるネットワーク処理システムの動作を示すフローチャートである。
【符号の説明】
１０    ネットワーク処理システム
１１、４１    第１プリンタ
１２、２５    操作部
１３、２６    制御部
１４    ＭＩＢ情報格納部
１５、２７    コピー用設定情報送受信部
２１、３１    第２プリンタ
１７、２２    コピー用設定情報設定部
２３    ＭＩＢ格納部
６１    ネットワーク
【図１】
2004280212.tif 000003
【図２】
2004280212.tif 000004
【図３】
2004280212.tif 000005
【図４】
2004280212.tif 000006
【図５】
2004280212.tif 000007
【図６】
2004280212.tif 000008
【図７】
2004280212.tif 000009
【図８】
2004280212.tif 000010
【図９】
2004280212.tif 000011
【図１０】
2004280212.tif 000012
【図１１】
2004280212.tif 000013
【図１２】
2004280212.tif 000014
【図１３】
2004280212.tif 000015
【図１４】
2004280212.tif 000016
【図１５】
2004280212.tif 000017